(57)【要約】拡張されたラジオ・フレームとのアップリンク・ハイブリッド自動反復要求（ＨＡＲＱ）互換性を維持することは、単一のラジオ・フレームのために定義された時間よりも大きい時間長さを有する、拡張されたラジオ・フレームにわたって、サブフレームを区分することを含む。ユーザ機器（ＵＥ）は、ＵＥに割り当てられたサブフレーム・グループのハイブリッド自動反復要求（ＨＡＲＱ）タイミングにしたがって、拡張されたラジオ・フレームにおけるＰＵＳＣＨ（物理アップリンク共有チャネル）再送信を保留する。
2013530564.tif 000002
【特許請求の範囲】
【請求項１】
無線通信のための方法であって、
サブフレーム・グループを、拡張されたラジオ・フレームにわたって区分することと、ここで、前記拡張されたラジオ・フレームは、単一のラジオ・フレームのために定義された時間よりも大きな時間長さを有する、
ユーザ機器（ＵＥ）に割り当てられたサブフレーム・グループのハイブリッド自動反復要求（ＨＡＲＱ）タイミングにしたがって、前記拡張されたラジオ・フレームにおけるＰＵＳＣＨ（物理アップリンク共有チャネル）再送信を、前記ＵＥによって保留することと、
を備える方法。
【請求項２】
前記拡張されたラジオ・フレームは、２つの連続する２つのラジオ・フレームのために定義された少なくとも合計時間長さを有する、請求項１に記載の方法。
【請求項３】
前記保留することは、前記拡張されたラジオ・フレームによって含まれる１つおきに連続するラジオ・フレームにおけるＰＵＳＣＨ送信を保留することを備える、請求項１に記載の方法。
【請求項４】
前記保留を実行する指示を、システム情報ブロック（ＳＩＢ）構成によって、前記ＵＥにおいて受信すること、をさらに備える請求項１に記載の方法。
【請求項５】
前記保留することを実行する指示を、前記拡張されたフレームの少なくとも１つのデータ領域で送信されるダウンリンク・アクノレッジメント情報によって、前記ＵＥにおいて受信すること、をさらに備える請求項１に記載の方法。
【請求項６】
前記少なくとも１つのデータ領域は、Ｒ−ＰＨＣＨＩ（リレー物理ＨＡＲＱ（ハイブリッド自動反復要求））インジケータ・チャネル（ＰＨＩＣＨ）を備える、請求項５に記載の方法。
【請求項７】
第１のサブフレーム・グループのために意図されたデータ領域で送信されたダウンリンク・アクノレッジメント情報が、第２のサブフレーム・グループのために意図されたダウンリンク・アクノレッジメント情報とともに周波数多重される、請求項５に記載の方法。
【請求項８】
前記少なくとも１つのデータ領域は、Ｒ−ＰＤＣＣＨ（リレー物理ダウンリンク制御チャネル（ＰＤＣＣＨ））を備える、請求項５に記載の方法。
【請求項９】
前記保留することを実行する指示を、前記拡張されたフレームのＭＢＳＦＮ（マルチプル・ブロードキャスト・マルチメディア単一周波数ネットワーク）サブフレームで送信されるダウンリンク・アクノレッジメント情報によって、前記ＵＥにおいて受信すること、をさらに備える請求項１に記載の方法。
【請求項１０】
無線通信のための方法であって、
拡張されたラジオ・フレームのデータ領域、または、前記拡張されたラジオ・フレーム内のマルチプル・ブロードキャスト・マルチメディア・サービス単一周波数ネットワーク（ＭＢＳＦＮ）サブフレーム、のうちの１つで送信された周波数分割多重（ＦＤＭ）チャネル情報を、ユーザ機器（ＵＥ）において受信することと、ここで、前記拡張されたラジオ・フレームは、単一のラジオ・フレームのために定義された時間よりも大きな時間長さを有する、
前記受信したＦＤＭチャネル情報にしたがって、ＰＵＳＣＨ（物理アップリンク共有チャネル）を再送信することと、ここで、前記再送信することは、前記拡張されたラジオ・フレームにおいて、ハイブリッド自動反復要求（ＨＡＲＱ）タイミングにしたがって生じる、
を備える方法。
【請求項１１】
前記チャネル情報は、物理ＨＡＲＱ（ハイブリッド自動反復要求）インジケータ・チャネル（ＰＨＩＣＨ）情報と、物理ダウンリンク制御チャネル（ＰＤＣＣＨ）情報とのうちの少なくとも１つを備える、請求項１０に記載の方法。
【請求項１２】
無線通信のためのシステムであって、
メモリと、
前記メモリに接続された少なくとも１つのプロセッサとを備え、
前記少なくとも１つのプロセッサは、
サブフレーム・グループを、拡張されたラジオ・フレームにわたって区分し、ここで、前記拡張されたラジオ・フレームは、単一のラジオ・フレームのために定義された時間よりも大きな時間長さを有する、
ＵＥに割り当てられたサブフレーム・グループのハイブリッド自動反復要求（ＨＡＲＱ）タイミングにしたがって、前記拡張されたラジオ・フレームにおけるＰＵＳＣＨ（物理アップリンク共有チャネル）再送信を保留する
ように構成された、システム。
【請求項１３】
前記拡張されたラジオ・フレームは、２つの連続する２つのラジオ・フレームのために定義された少なくとも合計時間長さを有する、請求項１２に記載のシステム。
【請求項１４】
前記プロセッサはさらに、前記拡張されたラジオ・フレームによって含まれる１つおきに連続するラジオ・フレームにおける前記ＰＵＳＣＨ送信を保留するように構成された、請求項１２に記載のシステム。
【請求項１５】
前記プロセッサはさらに、前記保留を実行する指示を、システム情報ブロック（ＳＩＢ）構成によって、前記ＵＥにおいて受信するように構成された、請求項１２に記載のシステム。
【請求項１６】
前記プロセッサはさらに、前記保留することを実行する指示を、前記拡張されたフレームの少なくとも１つのデータ領域で送信されるダウンリンク・アクノレッジメント情報によって、前記ＵＥにおいて受信するように構成された、請求項１２に記載のシステム。
【請求項１７】
前記少なくとも１つのデータ領域は、Ｒ−ＰＨＣＨＩ（リレー物理ＨＡＲＱ（ハイブリッド自動反復要求））インジケータ・チャネル（ＰＨＩＣＨ）を備える、請求項１６に記載のシステム。
【請求項１８】
第１のサブフレーム・グループのために意図されたデータ領域で送信されたダウンリンク・アクノレッジメント情報が、第２のサブフレーム・グループのために意図されたダウンリンク・アクノレッジメント情報とともに周波数多重される、請求項１６に記載のシステム。
【請求項１９】
前記少なくとも１つのデータ領域は、Ｒ−ＰＤＣＣＨ（リレー物理ダウンリンク制御チャネル（ＰＤＣＣＨ））を備える、請求項１６に記載のシステム。
【請求項２０】
前記プロセッサはさらに、前記保留する指示を、前記拡張されたフレームのＭＢＳＦＮ（マルチプル・ブロードキャスト・マルチメディア単一周波数ネットワーク）サブフレームで送信されるダウンリンク・アクノレッジメント情報によって、前記ＵＥにおいて受信するように構成された、請求項１２に記載のシステム。
【請求項２１】
無線通信のためのシステムであって、
メモリと、
前記メモリに接続された少なくとも１つのプロセッサとを備え、
前記少なくとも１つのプロセッサは、
拡張されたラジオ・フレームのデータ領域、または、前記拡張されたラジオ・フレーム内のマルチプル・ブロードキャスト・マルチメディア・サービス単一周波数ネットワーク（ＭＢＳＦＮ）サブフレーム、で送信された周波数分割多重（ＦＤＭ）チャネル情報を、ユーザ機器（ＵＥ）において受信し、ここで、前記拡張されたラジオ・フレームは、単一のラジオ・フレームのために定義された時間よりも大きな時間長さを有する、
前記受信したＦＤＭチャネル情報にしたがって、ＰＵＳＣＨ（物理アップリンク共有チャネル）を再送信する、ここで、前記再送信することは、前記拡張されたラジオ・フレームにおいて、ハイブリッド自動反復要求（ＨＡＲＱ）タイミングにしたがって生じる、
ように構成された、システム。
【請求項２２】
前記チャネル情報は、物理ＨＡＲＱ（ハイブリッド自動反復要求）インジケータ・チャネル（ＰＨＩＣＨ）情報と、物理ダウンリンク制御チャネル（ＰＤＣＣＨ）情報とのうちの少なくとも１つを備える、請求項２１に記載のシステム。
【請求項２３】
無線通信のための装置であって、
サブフレーム・グループを、拡張されたラジオ・フレームにわたって区分する手段と、ここで、前記拡張されたラジオ・フレームは、単一のラジオ・フレームのために定義された時間よりも大きな時間長さを有する、
ユーザ機器（ＵＥ）に割り当てられたサブフレーム・グループのハイブリッド自動反復要求（ＨＡＲＱ）タイミングにしたがって、前記拡張されたラジオ・フレームにおけるＰＵＳＣＨ（物理アップリンク共有チャネル）再送信を、前記ＵＥによって保留する手段と、
を備える装置。
【請求項２４】
無線通信のための装置であって、
拡張されたラジオ・フレームのデータ領域、または、前記拡張されたラジオ・フレーム内のマルチプル・ブロードキャスト・マルチメディア・サービス単一周波数ネットワーク（ＭＢＳＦＮ）サブフレーム、のうちの１つで送信された周波数分割多重（ＦＤＭ）チャネル情報を、ユーザ機器（ＵＥ）において受信する手段と、ここで、前記拡張されたラジオ・フレームは、単一のラジオ・フレームのために定義された時間よりも大きな時間長さを有する、
前記受信したＦＤＭチャネル情報にしたがって、ＰＵＳＣＨ（物理アップリンク共有チャネル）を再送信する手段と、ここで、前記再送信することは、前記拡張されたラジオ・フレームにおいて、ハイブリッド自動反復要求（ＨＡＲＱ）タイミングにしたがって生じる、
を備える装置。
【請求項２５】
無線ネットワークにおける無線通信のためのコンピュータ・プログラム製品であって、
記録されたプログラム・コードを有するコンピュータ読取可能な媒体を備え、前記プログラム・コードは、
サブフレーム・グループを、拡張されたラジオ・フレームにわたって区分するためのプログラム・コードと、ここで、前記拡張されたラジオ・フレームは、単一のラジオ・フレームのために定義された時間よりも大きな時間長さを有する、
ユーザ機器（ＵＥ）に割り当てられたサブフレーム・グループのハイブリッド自動反復要求（ＨＡＲＱ）タイミングにしたがって、前記拡張されたラジオ・フレームにおけるＰＵＳＣＨ（物理アップリンク共有チャネル）再送信を、前記ＵＥによって保留するためのプログラム・コードと
を備える、コンピュータ・プログラム製品。
【請求項２６】
無線ネットワークにおける無線通信のためのコンピュータ・プログラム製品であって、
記録されたプログラム・コードを有するコンピュータ読取可能な媒体を備え、前記プログラム・コードは、
拡張されたラジオ・フレームのデータ領域、または、前記拡張されたラジオ・フレーム内のマルチプル・ブロードキャスト・マルチメディア・サービス単一周波数ネットワーク（ＭＢＳＦＮ）サブフレーム、のうちの１つで送信された周波数分割多重（ＦＤＭ）チャネル情報を、ユーザ機器（ＵＥ）において受信するためのプログラム・コードと、ここで、前記拡張されたラジオ・フレームは、単一のラジオ・フレームのために定義された時間よりも大きな時間長さを有する、
前記受信したＦＤＭチャネル情報にしたがって、ＰＵＳＣＨ（物理アップリンク共有チャネル）を再送信するためのプログラム・コードと、ここで、前記再送信することは、前記拡張されたラジオ・フレームにおいて、ハイブリッド自動反復要求（ＨＡＲＱ）タイミングにしたがって生じる、
を備える、コンピュータ・プログラム製品。
【発明の詳細な説明】
【関連出願に対する相互参照】
【０００１】
本願は、２０１０年４月１６日に出願された、拡張されたラジオ・フレームとのアップリンク・ハイブリッド自動反復要求（ＨＡＲＱ）互換性を維持するためのシステムおよび方法（SYSTEMS AND METHODS FOR MAINTAINING UPLINK HYBRID AUTOMATIC REPEAT REQUEST (HARQ) COMPATIBILITY WITH EXTENDED RADIO FRAMES）、と題された米国仮特許出願６１／３２５，１９３号の利益を主張する。この開示は、全体が参照によって本明細書に明確に組み込まれている。
【技術分野】
【０００２】
本開示の態様は、一般に、無線通信システムに関し、さらに詳しくは、拡張されたラジオ・フレームとのアップリンク・ハイブリッド自動反復要求（ＨＡＲＱ）互換性を維持することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
１つの態様では、無線通信の方法が開示される。この方法は、サブフレーム・グループを、拡張されたラジオ・フレームにわたって区分することを含む。拡張されたラジオ・フレームは、単一のラジオ・フレームのために定義された時間よりも大きな時間長さを有する。ユーザ機器（ＵＥ）は、ＵＥに割り当てられたサブフレーム・グループのハイブリッド自動反復要求（ＨＡＲＱ）タイミングにしたがって、拡張されたラジオ・フレームにおけるＰＵＳＣＨ（物理アップリンク共有チャネル）再送信を保留する。
【０００８】
別の態様は、拡張されたラジオ・フレームのデータ領域、または、拡張されたラジオ・フレーム内のマルチプル・ブロードキャスト・マルチメディア・サービス単一周波数ネットワーク（ＭＢＳＦＮ）サブフレーム、で送信された周波数分割多重（ＦＤＭ）チャネル情報が、ユーザ機器（ＵＥ）において受信される、無線通信の方法を開示する。拡張されたラジオ・フレームは、単一のラジオ・フレームのために定義された時間より大きな時間長さを有する。ＰＵＳＣＨ（物理アップリンク共有チャネル）は、受信されたＦＤＭチャネル情報にしたがって再送信され、拡張されたラジオ・フレーム内のハイブリッド自動反復要求（ＨＡＲＱ）タイミングにしたがって生じる。
【０００９】
別の態様は、メモリと、メモリに接続された少なくとも１つのプロセッサとを有する、無線通信のためのシステムを開示する。プロセッサ（単数または複数）は、拡張されたラジオ・フレームにわたって、サブフレーム・グループを区分するように構成される。拡張されたラジオ・フレームは、単一のラジオ・フレームのために定義された時間よりも大きな時間長さを有する。プロセッサは、ＵＥに割り当てられたサブフレーム・グループのハイブリッド自動反復要求（ＨＡＲＱ）タイミングにしたがって、拡張されたラジオ・フレームにおけるＰＵＳＣＨ（物理アップリンク共有チャネル）再送信を保留するように構成される。
【００１０】
別の態様では、メモリと、メモリに接続された少なくとも１つのプロセッサとを有する、無線通信のためのシステムが開示される。プロセッサ（単数または複数）は、拡張されたラジオ・フレームのデータ領域、または、拡張されたラジオ・フレーム内のマルチプル・ブロードキャスト・マルチメディア・サービス単一周波数ネットワーク（ＭＢＳＦＮ）サブフレーム、で送信された周波数分割多重（ＦＤＭ）チャネル情報を、ユーザ機器（ＵＥ）において受信するように構成される。拡張されたラジオ・フレームは、単一のラジオ・フレームのために定義された時間よりも大きな時間長さを有する。プロセッサは、受信したＦＤＭチャネル情報にしたがって、ＰＵＳＣＨ（物理アップリンク共有チャネル）を再送信する。この再送信は、拡張されたラジオ・フレーム内で、ハイブリッド自動反復要求（ＨＡＲＱ）タイミングにしたがって生じる。
【００１１】
さらに別の態様では、装置が開示される。この装置は、サブフレーム・グループを、拡張されたラジオ・フレームにわたって区分する手段を含む。ここで、拡張されたラジオ・フレームは、単一のラジオ・フレームのために定義された時間よりも大きな時間長さを有する。この装置は、ユーザ機器（ＵＥ）に割り当てられたサブフレーム・グループのハイブリッド自動反復要求（ＨＡＲＱ）タイミングにしたがって、拡張されたラジオ・フレームにおけるＵＥによるＰＵＳＣＨ（物理アップリンク共有チャネル）再送信を保留する手段を含む。
【００１２】
さらに別の態様では、装置が開示される。この装置は、拡張されたラジオ・フレームのデータ領域、または、拡張されたラジオ・フレーム内のマルチプル・ブロードキャスト・マルチメディア・サービス単一周波数ネットワーク（ＭＢＳＦＮ）サブフレーム、で送信された周波数分割多重（ＦＤＭ）チャネル情報を、ユーザ機器（ＵＥ）において受信する手段を含む。拡張されたラジオ・フレームは、単一のラジオ・フレームのために定義された時間よりも大きな時間長さを有する。この装置は、受信したＦＤＭチャネル情報にしたがって、ＰＵＳＣＨ（物理アップリンク共有チャネル）を再送信する手段を含む。再送信する手段は、拡張されたラジオ・フレームにおいて、ハイブリッド自動反復要求（ＨＡＲＱ）タイミングにしたがって生じる。
【００１３】
別の態様では、無線ネットワークにおける無線通信のためのコンピュータ・プログラム製品が開示される。コンピュータ読取可能な媒体は、１または複数のプロセッサによって実行された場合に、プロセッサ（単数または複数）に対して、サブフレーム・グループを、拡張されたラジオ・フレームにわたって区分する動作を実行させる、記録されたプログラム・コードを有する。拡張されたラジオ・フレームは、単一のラジオ・フレームのために定義された時間よりも大きな時間長さを有する。このプログラム・コードはまた、プロセッサ（単数または複数）に対して、ユーザ機器（ＵＥ）に割り当てられたサブフレーム・グループのハイブリッド自動反復要求（ＨＡＲＱ）タイミングにしたがって、拡張されたラジオ・フレームにおけるＵＥによるＰＵＳＣＨ（物理アップリンク共有チャネル）再送信を保留させる。
【００１４】
別の態様は、無線ネットワークにおける無線通信のためのコンピュータ・プログラム製品を開示する。コンピュータ読取可能な媒体は、１または複数のプロセッサによって実行された場合に、プロセッサ（単数または複数）に対して、拡張されたラジオ・フレームのデータ領域、または、拡張されたラジオ・フレーム内のマルチプル・ブロードキャスト・マルチメディア・サービス単一周波数ネットワーク（ＭＢＳＦＮ）サブフレーム、で送信された周波数分割多重（ＦＤＭ）チャネル情報を、ユーザ機器（ＵＥ）において受信する動作を実行させる、記録されたプログラム・コードを有する。拡張されたラジオ・フレームは、単一のラジオ・フレームのために定義された時間よりも大きな時間長さを有する。このプログラム・コードはまた、プロセッサ（単数または複数）に対して、受信したＦＤＭチャネル情報にしたがって、ＰＵＳＣＨ（物理アップリンク共有チャネル）を再送信させる。この再送信は、拡張されたラジオ・フレームにおいて、ハイブリッド自動反復要求（ＨＡＲＱ）タイミングにしたがって生じる。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがうヘテロジニアスなネットワークにおける適応リソース区分を概念的に例示するブロック図である。
【図６Ａ】図６Ａは、拡張されたフレームにわたるダウンリンクおよびアップリンクＨＡＲＱ処理の例を例示する。
【図６Ｂ】図６Ｂは、拡張されたアップリンク・フレームの例を例示する。
【図７】図７は、拡張されたラジオ・フレームとのアップリンクＨＡＲＱ互換性を維持する方法を例示するブロック図である。
【発明を実施するための形態】
【００１７】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２２】
無線ネットワーク１００はさらに、中継局をも含みうる。中継局は、データおよび／またはその他の情報の送信を上流局（例えば、ｅノードＢまたはＵＥ）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、同期動作または非同期動作を支援しうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２５】
１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードの何れかのために使用されうる。
【００２６】
ネットワーク・コントローラ１３０は、ｅノードＢ１１０のセットに接続しており、これらｅノードＢ１１０のための調整および制御を提供しうる。ネットワーク・コントローラ１３０は、バックホール１３２を介してｅノードＢ１１０と通信しうる。ｅノードＢ１１０はまた、例えば、ダイレクトに、または、無線バックホール１３４または有線バックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２８】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，または２０ＭＨｚの対応するシステム帯域幅についてそれぞれ１，２，４，８，または１６のサブ帯域が存在しうる。
【００２９】
図２は、ＬＴＥにおいて使用されるダウンリンクＦＤＤフレーム構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、７つのシンボル期間を含み、拡張されたサイクリック・プレフィクスの場合、１４のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３０】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３１】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３２】
ｅノードＢは、ｅノードＢによって使用されるシステム帯域幅の中心の１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３３】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３４】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３５】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３６】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３７】
ＵＥは、ｅノードＢへ制御情報を送信するために、制御部分においてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３８】
ＬＴＥ−Ａは、各サブフレームの制御セクション、すなわち、各サブフレームの最初のシンボル期間においてＰＨＩＣＨおよびＰＤＣＣＨを送信することに加えて、各サブフレームのデータ・セクションでこれら制御指向のチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作の文脈で元々開発されたデータ領域を利用する、新たなタイプの制御チャネルである。Ｒ−ＰＤＣＣＨおよびＲ−ＰＨＩＣＨは、１つのサブフレーム内にいくつかの第１の制御シンボルを占有するレガシーＰＤＣＣＨおよびＰＨＩＣＨとは異なり、元々データ領域として指定されているリソース要素（ＲＥ）へマップされる。新たな制御チャネルは、周波数分割多重（ＦＤＭ）、時分割多重（ＴＤＭ）、あるいはＦＤＭとＴＤＭとの組み合わせの形態をとりうる。
【００３９】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４０】
従来、ＬＴＥの時間領域では、１０ミリ秒長さであり、おのおのが１ミリ秒の１０のサブフレームを有するラジオ・フレームが存在する。すべてのサブフレームは、おのおのが０．５ミリ秒である２つのスロットを有しうる。周波数領域におけるサブキャリア間隔は、１５ｋＨｚである。（スロットあたり）これら１２からなるサブキャリアは、リソース・ブロックと呼ばれる。したがって、１つのリソース・ブロックは、１８０ｋＨｚである。６つのリソース・ブロックが、１．４ＭＨｚのキャリアに収まり、１００のリソース・ブロックが、２０ＭＨｚのキャリアに収まる。
【００４１】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４２】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４３】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４４】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信される。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４５】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４６】
図５は、ヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０の禁止サブフレーム（Ｎサブフレーム）に対応する、サブフレーム０の保護サブフレーム（Ｕサブフレーム）を有する。同様に、マクロｅノードＢは、サブフレーム７の禁止サブフレーム（Ｎサブフレーム）に対応する、サブフレーム７の保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４７】
攻撃ｅノードＢは、送信することを禁止されているので、（例えばＵ／ＡＵサブフレームのような）保護サブフレームは、干渉が低減され、高いチャネル品質を有している。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受けた拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００４８】
ＬＴＥ／−Ａにおいて適用されうる別の干渉管理スキームの例は、緩慢な適応干渉管理である。干渉管理に対してこのアプローチを使用することによって、リソースは、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ（図１）のようなすべての送信エンティティに対する制御を有する、中央エンティティによって計算されうる。この中央エンティティは、必ずしも現実的でも、また、望ましくもないかもしれない。
【００４９】
例えば無線ネットワーク１００のようなヘテロジニアスなネットワークの配置では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホール１３４を介して通信しうる。このネゴシエーションでは、フェムトｅノードＢ１１０ｙは、チャネル・リソースのうちの１つでの送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００５０】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムを超えた推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、ｔｉｍｅ−ｔｏ−ｌｉｖｅ（ＴＬＬ）誤差のレベルに近づきうる。
【００５１】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００５２】
図５を参照して説明されるように、ＴＤＤ（時分割デュプレクス）アップリンク−ダウンリンク構成は、電力クラス間の干渉を回避するため、ｅノードＢの電力クラスにしたがって、グループに区分されうる。区分された、サポートされているグループの数は、実施される特定のアップリンク−ダウンリンク構成に制限されうる。特に、ＨＡＲＱタイムラインは、所望の数のグループをサポートしないことがありうる。既存のＴＤＤ構成１では、サブフレームは、ＨＡＲＱタイミングに基づいて、次の４つのグループに構成されうる。
【００５３】
グループ１：０／１／７（ＤＬサブフレーム０，１、およびＵＬサブフレーム７）；
グループ２：５／６／２（ＤＬサブフレーム５，６、およびＵＬサブフレーム２）；
グループ３：４／８（ＤＬサブフレーム４およびＵＬサブフレーム８）；および、
グループ４：９／３（ＤＬサブフレーム９およびＵＬサブフレーム３）。
【００５４】
したがって、上記構成では、指定されたＨＡＲＱタイミングによって、区分のために利用可能な、最大４つのグループが存在する。一例では、拡張されたフレーム構造が、ＨＡＲＱタイミングを満足しながら、より多くの区分グループを可能にするために適用される。より多くのグループを可能にすることは、ｅノードＢクラス間でグループを共有したり、共有されたグループ内の干渉を受けるのではなく、より少ない干渉を持つ、より多くのクラスのｅノードＢに適応しうる。
【００５５】
図６Ａは、拡張されたサブフレーム構造である、２つの１０ミリ秒のフレームＮおよびＮ＋１にわたるダウンリンクおよびアップリンクのＨＡＲＱ処理の例を例示する。構成６００（ＴＤＤ構成１）の例では、ｅノードＢタイムライン６０２は、２つの１０ミリ秒のフレームにおいてＨＡＲＱ  ０−６として識別される７つのダウンリンクＨＡＲＱ処理を含む。ＵＥタイムライン６０４では、４つのアップリンクＨＡＲＱ処理が、２つの１０ミリ秒フレームにわたって含まれており、ＨＡＲＱ  ０−３として識別される。ＴＤＤ構成の例は、アップリンク（ＵＬ）サブフレーム、ダウンリンク（ＤＬ）サブフレーム、および特別のサブフレームを含む。サブフレーム０，４，５および９は、ダウンリンク・サブフレームである。サブフレーム２，３，７および８は、アップリンク・サブフレームである。サブフレーム１，６は、ダウンリンク期間、ギャップ、およびアップリンク期間を含む特別のサブフレームを示す。
【００５６】
より多くの区分グループが望まれる場合、ラジオ・フレームが拡張され、ダウンリンク・サブフレームが、より長い区分期間で区分されうる。例えば、ラジオ・フレームＮでは、グループ１：０／１／７；グループ２：５／６／２；グループ３：４／８；
およびグループ４：９／３が、第１の４つの区分グループに相当しうる。そしてラジオ・フレームＮ＋１では、グループ５：０／１／７；グループ６：５／６／２；グループ７：４／８；およびグループ８：９／３が、４つの追加の区分グループに相当しうる。したがって、ラジオ・フレームＮにおける１０ミリ秒期間では、４つのグループが存在する。さらに、ラジオ・フレームＮ＋１は、別の４つのグループを含んでおり、合計して８つのグループとなる。２０ミリ秒期間（ＮおよびＮ＋１）にわたって拡張されたフレームを効果的に適用することによって、さらなるグループがサポートされうる（例えば、４つのみのグループではなく、８つの区分グループがサポートされうる。）。
【００５７】
図６Ｂは、２０ミリ秒のフレームを提供するために、フレームＮおよびフレームＮ＋１を効果的に合計する典型的な拡張されたアップリンク（ＵＬ）タイムフレーム６１１を例示する。この典型的な例示では、（フレームＮ＋１のための）拡張されたフレームの後半のアップリンクＨＡＲＱ処理が保留される。したがって、これらのアップリンクＨＡＲＱ処理は、別の区分グループによって使用されうる。アップリンクＨＡＲＱ処理は、以下にさらに説明されるように、システム情報ブロック（ＳＩＢ）設定によって、または、アクノレッジメント（ＡＣＫ）メッセージによって、１つおきのラジオ・フレーム毎に保留されうる。
【００５８】
拡張されたラジオ・フレームを適用し、もって、追加のグループ（例えば、前述した例では８つのグループ）をサポートする１つの例では、リリース８  ＵＬ  ＨＡＲＱタイムラインとの互換性を維持する本開示のある例が実施されうる。例えば、ＵＬ  ＨＡＲＱ処理は、システム情報ブロック（ＳＩＢ）構成によって１つおきのラジオ・フレーム毎に保留されうる。別の例において、ＵＬ  ＨＡＲＱは、Ｒ−ＰＨＩＣＨメッセージによって、１つおきのラジオ・フレーム毎に保留されうる。
【００５９】
他の実施形態では、アップリンクＨＡＲＱ保留は実行されない。例えば、アップリンクＨＡＲＱ保留が実行されない場合、アップリンクＨＡＲＱは、Ｒ−ＰＤＣＣＨおよびＲ−ＰＨＩＣＨに続く。Ｒ−ＰＨＩＣＨおよびＲ−ＰＤＣＣＨは、ＰＨＩＣＨおよびＰＤＣＣＨにそれぞれ対応するが、ＰＤＳＣＨデータ領域で、または、マルチプル・ブロードキャスト・マルチメディア・サービス単一周波数ネットワーク（ＭＢＳＦＮ）タイプのサブフレームで送信される。図２に戻って示すように、Ｒ−ＰＤＣＣＨおよびＲ−ＰＨＩＣＨは、（サブフレーム０について示されたシンボル期間３−１３において）ＰＤＳＣＨデータ領域で送信される。ある実施形態では、Ｒ−ＰＨＩＣＨおよびＲ−ＰＤＣＣＨは、ＴＤＭ形式ではなく、ＦＤＭ（周波数分割多重）形式である。
【００６０】
リリース８アップリンクＨＡＲＱタイムラインを維持しながら、フレーム時間（および、サポートされるグループ数）を拡張するためのさまざまな典型的なオプションが以下に説明される。一例では、アップリンクＨＡＲＱ再送信（ＰＵＳＣＨ）が、ＳＩＢ構成によって、１つおきのラジオ・フレーム毎に保留されうる。特に、アップリンクＨＡＲＱ再送信を１つおきのラジオ・フレーム毎に保留するようにＵＥに指示するために、ＵＥのグループにＳＩＢ構成を通信しうる。言い換えれば、偶数のラジオ・フレームで送信されるようにスケジュールされたデータ・チャネル再送信（ＰＵＳＣＨ）が保留され、後続する奇数のラジオ・フレームで送信される。同様に、奇数のラジオ・フレームのためにスケジュールされた再送信がスキップされ、次の（偶数の）ラジオ・フレームまで遅延される。このアップリンクＨＡＲＱ保留の例は、図６Ｂに例示されている。
【００６１】
別の例では、アップリンクＨＡＲＱ再送信（ＰＵＳＣＨ）が、（例えば、Ｒ−ＰＨＩＣＨのような）ダウンリンク・アクノレッジメントによって、１つおきのラジオ・フレーム毎に保留される。例えば、ｅノードＢは、１つおきのラジオ・フレーム毎にアップリンクＨＡＲＱ送信を保留するようにＵＥに指示する情報を、Ｒ−ＰＨＩＣＨ送信でＵＥへ通信しうる。Ｒ−ＰＨＩＣＨでＡＣＫを送信することによって、ＵＥは、次のラジオ・フレームで送信しないだろう。したがって、ＵＥは、このようにしてラジオ・フレームをスキップするように指示されうる。さらに、（奇数または偶数のラジオ・フレームに関わらず）再送信が適切である場合、ｅノードＢは、スケジュール許可およびＮＡＣＫを送信し、適切な時間において、再送信を開始する。
【００６２】
ＰＨＩＣＨは、別の区分グループに属するサブフレーム内で送信されうるので、ＰＨＩＣＨの代わりにＲ−ＰＨＩＣＨが使用されうる。Ｒ−ＰＨＩＣＨは、ＦＤＭ（周波数分割多重）をサポートするので、異なる区分グループが、Ｒ−ＰＨＩＣＨ内で周波数多重されうる。したがって、Ｒ−ＰＨＩＣＨが別のグループのために指定されたサブフレーム内にあっても、特定のグループがシグナリングを受信しうる。この例では、Ｒ−ＰＨＩＣＨは、リリース８タイミングにしたがって送信される。このアップリンクＨＡＲＱ保留の例は、図６Ｂで例示される。
【００６３】
別の例では、アップリンクＨＡＲＱ送信は保留されない。むしろ、アップリンクＨＡＲＱのためのダウンリンク制御情報が、Ｒ−ＰＤＣＣＨ単独で、またはＲ−ＰＤＣＣＨおよびＲ−ＰＨＩＣＨで提供される。前述したように、Ｒ−ＰＤＣＣＨおよびＲ−ＰＨＩＣＨはそれぞれ、１つのサブフレーム内のＰＤＳＣＨデータ領域またはＭＢＳＦＮタイプのサブフレームで送信されたＰＤＣＣＨおよびＰＨＩＣＨである。アップリンクＨＡＲＱ送信は、Ｒ−ＰＤＤＣＨ、または、Ｒ−ＰＤＣＣＨおよびＲ−ＰＨＩＣＨの何れかで提供されたアップリンクＨＡＲＱのためのダウンリンク制御情報の受信に続く。Ｒ−ＰＤＣＣＨおよびＲ−ＰＨＩＣＨは、データをスケジュールするために使用されうる。これによって、ＰＤＣＣＨおよびＰＨＩＣＨ情報は、（ＰＤＣＣＨおよびＰＨＩＣＨがリリース８で定義されたように）ＴＤＭ方式で送信されるのではなく、（ＰＤＳＣＨデータ領域におけるＲ−ＰＤＣＣＨおよびＲ−ＰＨＩＣＨのように）ＦＤＭ方式で送信されるようになる。これによって、Ｒ−ＰＤＣＣＨおよびＲ−ＰＨＩＣＨに含まれる情報が直交化されるようになり、複数の異なるセルのために、情報が、互いに干渉することなく、伝送されるようになる。
【００６４】
本明細書では、ＴＤＤの構成１に関して例が説明されているが、本明細書で開示された概念は、拡張されたフレームを実施するため、および、例えばリリース８における１０ミリ秒フレームのように、拡張されていないフレームのために定義された（すなわち、オリジナルに定義された）ＨＡＲＱタイムラインとの互換性を維持するためにも同様に適用されうる。
【００６５】
図７は、拡張されたラジオ・フレームとのアップリンクＨＡＲＱ互換性を維持するための方法７００を例示する。ブロック７１０では、サブフレームが、拡張されたラジオ・フレームにわたって区分される。ブロック７１２では、ＵＥに割り当てられたサブフレーム・グループのＨＡＲＱタイミングにしたがって、ＰＵＳＣＨ再送信が、拡張されたラジオ・フレームにおいて保留される。
【００６６】
１つの構成では、拡張されたラジオ・フレームにわたってサブフレーム・グループを区分する手段を含むｅノードＢ１１０（ＵＥ１２０）が、無線通信のために構成される。１つの態様では、区分する手段は、区分する手段によって詳述された機能を実行するように構成されたスケジューラ４４４でありうる。ｅノード１１０はまた、保留するする手段をも含むように構成される。１つの態様では、保留する手段は、保留する手段によって詳述された機能を実行するように構成されたコントローラ／プロセッサ４８０でありうる。別の態様では、前述した手段は、前述した手段によって記述された機能を実行するように構成されたモジュールまたは任意の装置でありうる。
【００６７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６９】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７０】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013530564.tif 000003
【図２】
2013530564.tif 000004
【図３】
2013530564.tif 000005
【図４】
2013530564.tif 000006
【図５】
2013530564.tif 000007
【図６Ａ】
2013530564.tif 000008
【図６Ｂ】
2013530564.tif 000009
【図７】
2013530564.tif 000010
【国際調査報告】
2013530564.tif 000011
2013530564.tif 000012
2013530564.tif 000013